(57)【要約】【課題】本発明は、吊掛具に小さい外力がかかっても略垂直状態を保持し、大きな外力がかかった時には、弾性体が変形してその衝撃を緩和すること。【解決手段】  シャフトの下部に引掛部を有する吊掛具を支持具にその貫通孔から吊下げて支持させる吊掛装置において、吊掛具は、シャフトの上部に支承部を設け、支持具の貫通孔からシャフトを垂下させて支承部で支持させ、支承部を圧縮コイルばね等の弾性体で上方から直接又は間接的に押圧して、略垂直状態に保持されるよう成し、吊掛具に横方向から外力がかかった時には弾性体が変形して吊掛具が傾斜し衝撃を緩和するように構成した。【選択図】図２
2005230204.tif 000002
【特許請求の範囲】
【請求項１】
シャフトの下部に引掛部を有する吊掛具を支持具にその貫通孔から吊下げて支持させる吊掛装置において、吊掛具は、シャフトの上部に支承部を設け、支持具の貫通孔からシャフトを垂下させて支承部で支持させ、支承部を圧縮コイルばね等の弾性体で上方から直接又は間接的に押圧して、略垂直状態に保持されるよう成し、吊掛具に横方向から外力がかかった時には弾性体が変形して吊掛具が傾斜し衝撃を緩和するように構成したことを特徴とする吊掛装置。
【発明の詳細な説明】
【技術分野】
【０００１】
本発明は、天井面等に取り付けて、物干具等を吊り下げて使用する吊掛装置に関するものである。
【背景技術】
【０００２】
従来より、天井面に固定的に取り付けられる物干し等の吊掛装置は種々のものが市販されている。また、実開平６−８１４９５号考案のように、上部に引っ張りばねを設けた吊掛具を支持具に揺動可能に支持させた吊掛装置は提案されている。
【特許文献１】実開平６−８１４９５号公報
【発明の開示】
【発明が解決しようとする課題】
【０００３】
上記固定的に取り付けられる従来のものにおいては、物が当たった場合には、その衝撃を緩和する作用がないので、吊掛装置や取り付けられている天井が壊れたり、人が当たった場合には怪我をしたりするという問題がある。
この問題を解決した実開平６−８１４９５号考案においては、例えば屋外で洗濯物を干すために使用する時には、風で揺れて洗濯物が壁等に触れて汚れてしまうという問題や、吊掛具に重い洗濯物を掛ける等して大きな下向き荷重がかかると、上部の引っ張りばねが伸びきってしまったり、外れたりしてしまうという問題がある。
本発明は、上述したこれら問題を解決することを課題としている。
【課題を解決するための手段】
【０００４】
本発明は、上記の課題を解決するために、シャフトの下部に引掛部を有する吊掛具を支持具にその貫通孔から吊下げて支持させる吊掛装置において、吊掛具は、シャフトの上部に支承部を設け、支持具の貫通孔からシャフトを垂下させて支承部で支持させ、支承部を圧縮コイルばね等の弾性体で上方から直接又は間接的に押圧して、略垂直状態に保持されるよう成し、吊掛具に横方向から外力がかかった時には弾性体が変形して吊掛具が傾斜し衝撃を緩和するように構成したものである。
【発明の効果】
【０００５】
従って本発明によれば、支持具に支持される吊掛具の支承部を圧縮コイルばね等の弾性体で上方から直接又は間接的に押圧して、略垂直状態に保持されるよう成してあるので、引掛部に掛けられた洗濯物が風を受ける等、吊掛具に横向きの小さい外力がかかっても、動かずに略垂直状態を保持することができると共に、吊掛具に人がぶつかる等大きな外力がかかった時には、弾性体が変形して吊掛具が傾斜し衝撃を緩和し、人が怪我したり、吊掛装置や取り付けられている天井等が壊れたりする危険を回避することができるという効果がある。
また、大きな下向き荷重がかかっても、弾性体には荷重がかからないので、弾性体が伸びきってしまったり外れたりすることがないし、耐久性に優れているという効果もある。
【実施例】
【０００６】
本発明の吊掛装置は、天井等に取り付けられる支持具１と、その支持具１に取り付けられる吊掛具２から成る。
【０００７】
支持具１は、円形容器状の本体１ａの縁から外側に円形の鍔部１ｂを設けて全体形状を逆ハット状に形成してあり、本体１ａ底板の中央に円形の貫通孔１ｃを設けてある。また、本体１ａの縁上面には、凹段面１ｄを設けてそこに４ヶ所のねじ孔１ｅ・・・１ｅを設けてある。
【０００８】
支持具１の本体１ａ内に収容される押え具４は、全体形状がハット状に形成され、この押え具４の鍔部分を弾性体５が上方から押圧するようになっている。本実施例では、弾性体５は、押え具４の鍔部とほぼ同じ直径の圧縮コイルばねである。また、吊掛具２のシャフト２ｃに遊嵌される受体８は円形リング状に形成される。
【０００９】
吊掛具２は、断面円形のシャフト２ｃの上部に円形鍔板状の支承部２ａを一体的に設け、下部にリング状の引掛部２ｂをねじで着脱可能に設けてある。
【００１０】
受体８は合成樹脂製で、金属製の支承部２ａが金属製の支持具１に対して動いた時に異音を発したりしないよう、金属同士を直接接触させないようにするためのものである。
【００１１】
次に、吊掛具２を支持具１に吊り下げて組み立てる方法を説明する。
引掛部２ｂを外して、吊掛具２のシャフト２ｃに受体８を下方から遊嵌し、シャフト２ｃを支持具１の貫通孔１ｃに上方から挿通して、受体８及び支承部２ａを支持具１の本体１ａ内に収容する。
【００１２】
そして、受体８及び支承部２ａを覆うように押え具４を被せ、その押え具４の鍔部を押えるように弾性体５を載せ、この弾性体５を圧縮するように蓋体３を被せて、取付孔３ａ・・・３ａからねじ６・・・６をねじ孔１ｅ・・・１ｅに締めて組み立てる。最後に、シャフト２ｃの下部に引掛部２ｂをねじ込んで取り付ければよい。
【００１３】
組み立てられた状態では、弾性体５が、押え具４を介して間接的に吊掛具２の支承部２ａを上方から下方に向けて押圧している。もちろん弾性体５が、直接的に吊掛具２の支承部２ａを上方から下方に向けて押圧するようにしてもよい。この組み立てられた吊掛装置を、天井等に支持具１の取付孔１ｆ・・・１ｆから取付ねじ７・・・７をねじ込んで取り付けて使用するものである。
【００１４】
取り付けられた状態では、吊掛具２は弾性体５の力で垂直状態に保持されるが、万一、吊掛具２に物が当たった場合は、図４に示すように、弾性体５が変形して吊掛具２が傾斜してその衝撃を吸収し、この吊掛装置及び天井等の被取付体が壊れるのを極力防ぐことができる。また、人が当たった場合でも怪我をしにくい構造となっている。
【００１５】
なお、支承部２ａ、押え具４及び受体８をワンピースあるいはツーピースに形成してもよく、要するに、支承部２ａを弾性体５で上方から直接又は間接的に押圧して、吊掛具２が、略垂直状態に保持されると共に、外力がかかった時に弾性体５が変形して衝撃を緩和するように構成されていればよい。
【図面の簡単な説明】
【００１６】
【図１】使用状態を示す全体正面図である。
【図２】全体の分解斜視図である。
【図３】吊掛具が垂直状態の要部の縦断面図である。
【図４】吊掛具が傾斜状態の要部の縦断面図である。
【符号の説明】
【００１７】
１    支持具
１ｃ  貫通孔
２    吊掛具
２ａ  支承部
２ｂ  引掛部
２ｃ  シャフト
５    弾性体
【図１】
2005230204.tif 000003
【図２】
2005230204.tif 000004
【図３】
2005230204.tif 000005
【図４】
2005230204.tif 000006